(57)【要約】その上に回動自在に取付けられた持上げアームを備えている垂直支柱（２）を有する物体の持上げ及び移動システム。前記垂直支柱は、前記持上げアーム上に摺動可能に取付けられたキャリッジ（１０〜１６）に結合されているピストンを有しており、該ピストンの動作によって前記キャリッジの降下及び上昇が可能にされている。
2004537485.tif 000002
【特許請求の範囲】
【請求項１】
4ポンド／平方インチ（4PSI）の低い空気圧によって、カウンタウェイトの上昇運動が行われることを特徴とする。
【請求項２】
カウンタウェイト（ピストン）のシール原理は、小間隙を通って空気が移動される際の空気抵抗を用いることであり、この原理によって、微小量の空気を用いて、前記ピストンの下に空気圧を生成することが可能にされることを特徴とする。
【請求項３】
この原理の別の利点は、生じた少量の空気漏洩によって、前記ピストンが前記チューブ内で完全に中央に保持されて、磨耗の効果が除去される点であることを特徴とする。
【請求項４】
案内及びシールが確実にされることに加えて、この漏洩システムによって、ピストン上部の加圧の必要性若しくは空気排気弁の使用が除去され、且つこのシステムは、重力によって単純にカウンタウェイトを降下させるように、即ち、物体を上昇させるように、空気の取入れを縮小する若しくは閉じることだけを必要とすることを特徴とする。
【請求項５】
この装置は、カウンタウェイトの99%しか持上げることができない（機械的要素の摩擦が1%の損失の理由である）ので、この装置を誤用する若しくは破損するのが不可能であることを特徴とする。
【請求項６】
圧縮室として支持支柱を用いることによって、360度の連続的な動きが可能にされることを特徴とする。
【請求項７】
キャリッジ・システムを支持する滑車の接近によって、作業者がカウンタウェイトの高すぎる上昇を試みてしまった場合のブレーキング効果が生成されることを特徴とする。
【請求項８】
重量を可変し得るカウンタウェイトであって、
それは、迅速に中身を空にすることを可能にする、底部上のトラップを備えている容器であり、
この容器は、上部が開けられており、前記装置の上部上に取付けられているタンクは、静的モーメントを利用して粒状材料若しくは液体が充填可能であり、その底部上のトラップは、必要に応じて、前記カウンタウェイトを充填するのに用いられ、
粒状材料若しくは液体をもたらすための方法は、ジャーを備えた1／4 HPの小さいコンベヤー・システムを用いることによって、連続的な運動で達成可能であり、
前記カウンタウェイトの管理は、液体（水、油、水銀）若しくは粒状材料（砂、鋼球、ポリマー・ボール）を用いることによって、可能であり、
水銀が選択される場合には、生じ得る環境汚染を回避するように、閉回路内で全てが行われる必要があり、且つ水銀は、非常に緻密であるという利点を有するが、極めて高価であるということに留意する必要があることを特徴とするカウンタウェイト。
【発明の詳細な説明】
【技術分野】
【０００１】
本発明は、物体を持上げて、ある場所から別の場所に移動させるシステムに関する。
【発明の開示】
【発明の効果】
【０００２】
（メイン・クレーム）
ある場所から別の場所に物体を持上げて移動させるシステムであって、
部分的に中空の垂直支柱であって、該支柱をその垂直軸として用いており、且つ地面そのものであり得る支持部の助けにより該支柱をしっかり保持する回転システムをその基部に備えている、垂直支柱と、
旋回軸によって前記垂直支柱に固定して保持され、その上をキャリッジが移動するレールを備えている側方アームと、
前記側方アームへの支持として用いられる、前記垂直支柱に固定して保持される１以上の支持アームと、
前記側方アームのキャリッジへのケーブルによって保持される、物体の保持システムとを有し、
側方アームは、前記支柱の前記軸を通る任意のパターンでの移動を可能にする方法で、前記垂直支柱に固定して保持されており、
前記垂直支柱は、好適には、空気、不活性ガス、合成油又は天然油、水銀、水、若しくは砂等の要素から選ばれる、液状、ガス状、若しくは粒状のいずれかである流体によって生成される圧力を好適に受けて、上下に移動するピストンを内側に備えており、
前記ピストンは、前記側方アームの内部若しくは上で移動し、且つ前記アーム上における位置に関わらず、前記保持システムが前記キャリッジから同一距離で保持されるように強制する前記キャリッジへのケーブルによって保持されていることを特徴とする。
【発明を実施するための最良の形態】
【０００３】
（物体の持上げ及び移動を行うためのシステム）
ある場所から別の場所に物体を持上げて移動させるシステムであって、
部分的に中空の垂直支柱であって、該支柱をその垂直軸として用いており、且つ地面そのものであり得る支持体の助けにより該支柱をしっかりと保持する回転システムをその基部に備えている、垂直支柱と、
旋回軸によって前記垂直支柱に固定して保持され、その上をキャリッジが移動するレールを備えている側方アームと、
前記側方アームへの支持として用いられる、前記垂直支柱に固定して保持される１以上の支持アームと、
前記側方アームのキャリッジへのケーブルによって保持される物体のための保持システムとを有し、
側方アームは、前記支柱の前記軸を通る任意のパターンでの動きを可能にする方法で、前記垂直支柱に固定して保持されており、
前記垂直支柱は、好適には、空気、不活性ガス、合成油又は天然油、水銀、水、若しくは砂等の要素から選ばれる、液状、ガス状、若しくは粒状のいずれかである流体によって生成される圧力を好適に受けて、上下に移動するピストンを内側に備えており、
前記ピストンは、前記側方アームのレール内若しくはレール上で前記物体保持システムと共に移動する前記キャリッジへのケーブルによって堅固に保持されており、
前記キャリッジは、前記側方アームに沿った該キャリッジの移動を可能にして、且つ前記アーム上における位置に関わらず、前記保持システムが前記キャリッジから同一距離で保持されるように強制する滑車システムを、好適に備えていることを特徴とする。
【０００４】
装置は、高さが8乃至12フィート、直径8インチである支柱（２）の最上部に固定されている12フット・レール（９）で構成されている。
【０００５】
レールは、360度の連続的な動きを可能にする回転接合部（１２−２１−２２−２３−２４）上で固定されている。
【０００６】
回転接合部内にある孔によって、カウンタウェイトの上昇若しくは降下の際の、ケーブル（２９）の自由な動きが可能にされている。
【０００７】
レール（９）は、ローリング・ブロック（２７）にボルト固定された（２８）2つの1インチ四方の留具（２６）によって支持されている。
【０００８】
ローリング・ブロック（２７）は、2つのベアリング（１２）の助けにより、支柱（２）の外部上を上下に移動可能である。
【０００９】
レール（９）の内側に取付けられた小キャリッジ（１０−１１−１２−１３−１４−１５−１６）によって、積荷をレール沿いに自由に移動させることが可能にされている。
【００１０】
レール（９）の末端部では、開口部を閉じるように、且つケーブル（２９）の端部を所定の位置に保持するようにキャップが付けられている。
【００１１】
支柱（２）の底部は、各三角形部分で床に固定された（３〜４）三角形基部（１）に溶接されており、エポキシ樹脂で充填されている。
【００１２】
カウンタウェイト（５）の最上部及び底部上に取付けられた2つのプラスチック・リング（６）によって、金属部品の間での摩擦が防止されている。それらは、必要に応じて、空気若しくはその他のガーゼが所定量だけ漏洩するように調整されている。
【００１３】
支柱の底部に取付けられた弁によって、カウンタウェイトを持上げるのに用いられる空気の取入れの制御が可能にされている。
【００１４】
（装置の説明）
カウンタウェイトの底部にボルト固定された（８）一片のゴム（７）によって、降下する際の衝撃が除去される。
【００１５】
レール（９）の内側にある黒色、高密度の2つのスチール・ベルト（１７）によって、キャリッジ（１０−１１−１２−１３−１４−１５−１６）の動きが滑らかにされている。
【００１６】
5／8インチ・ベアリング（１５）によって、レール（９）の開口部内でのキャリッジの調整作用が保証される。
【００１７】
取付ブロック（３０）は、ケーブル（２９）を緊張状態に保持することによって、それらが滑車（１１）から外れ落ちるのを防止している。
【００１８】
（装置の機械的機能）
この装置は、3つの別個の機能：
ａ）カウンタウェイトによって、上昇させる物体の重量を相殺する機能
ｂ）作業者が、物体を容易に上昇及び降下させることを可能にする機能
ｃ）物体を2乃至12フィートの半径で、360度、移動させる機能
を有する。
【００１９】
（装置動作手順）
この装置は、吸引ディスク、磁石、フック、若しくはその他の保持システムによって保持され得る任意の固体物体を容易に処理することが可能にされている持上げアームである。
【００２０】
作業者は、半径24フィート以内の物体の処理、及び無線若しくは有線のいずれかの遠隔制御による上昇及び降下の制御が可能である。
【００２１】
遠隔制御が取付けられるスタンドは、保持システムの基部において、作業者に対するハンドルとしても用いられる。
【００２２】
保持システムは、任意の適用可能な形状をとり得る。
【００２３】
一例として、メラミン樹脂でコーティングされたシートを用いると、作業者によって、カウンタウェイトの下に空気が挿入される。その結果、保持システム（この場合には、吸引ディスク）がシート上部の上に降下する。一度、このシートが適切に保持されてしまえば、作業者により空気が解放されて、カウンタウェイトが降下して、従って、シートが持上げられる。次に、作業者は、このシートを必要な場所に移動させて、それを降下させるように空気を再挿入することが可能である。最後に、作業者によってこのシートが解放されて、別の操作に対する準備が整えられた状態となる。
【００２４】
この装置は、50乃至150lbsの値で変化する小さい負荷を処理するように設計されている。
【００２５】
本発明の請求項に記載される主要な態様は、「カウンタウェイトの動作」に関するものである。
【図面の簡単な説明】
【００２６】
【図１】
【００２７】
【図２】
【００２８】
【図３】
【００２９】
【図４】
【００３０】
【図５】
【００３１】
【図６】
【００３２】
【図７】
【００３３】
【図８】
【００３４】
【図９】
【００３５】
【図１０】
【００３６】
【図１１】
【００３７】
【図１２】
【００３８】
【図１３】
【図１】
2004537485.tif 000003
【図２】
2004537485.tif 000004
【図３】
2004537485.tif 000005
【図４】
2004537485.tif 000006
【図５】
2004537485.tif 000007
【図６】
2004537485.tif 000008
【図７】
2004537485.tif 000009
【図８】
2004537485.tif 000010
【図９】
2004537485.tif 000011
【図１０】
2004537485.tif 000012
【図１１】
2004537485.tif 000013
【図１２】
2004537485.tif 000014
【図１３】
2004537485.tif 000015
【国際公開パンフレット】
2004537485.tif 000016
2004537485.tif 000017
2004537485.tif 000018
2004537485.tif 000019
2004537485.tif 000020
2004537485.tif 000021
2004537485.tif 000022
2004537485.tif 000023
2004537485.tif 000024
2004537485.tif 000025
2004537485.tif 000026
2004537485.tif 000027
2004537485.tif 000028
2004537485.tif 000029
2004537485.tif 000030
2004537485.tif 000031
2004537485.tif 000032
2004537485.tif 000033
2004537485.tif 000034
2004537485.tif 000035
2004537485.tif 000036
2004537485.tif 000037
【手続補正書】
【提出日】平成14年9月16日(2002.9.16)
【手続補正１】
【補正対象書類名】明細書
【補正対象項目名】全文
【補正方法】変更
【補正の内容】
【発明の詳細な説明】
【技術分野】
【０００１】
本発明は、物体を持上げて、ある場所から別の場所に移動させる装置に関する。
【背景技術】
【０００２】
物体を持上げて、ある場所から別の場所に移動させるための装置は公知である。しかしながら、それらは扱いづらく、製造費用がかかってしまう。
【発明の開示】
【発明の効果】
【０００３】
本発明は、物体を持上げて、ある場所から別の場所に移動させるためのシステム及び装置に関するものであり、該システム及び装置は、
部分的に中空の垂直支柱であって、該支柱をその垂直軸として用いる回転システムと共にその基部に取付けられ、且つ土そのものであり得る支持部の助けによりしっかりと保持される垂直支柱と、
旋回軸によって前記垂直支柱に固定して保持され、その上をキャリッジが移動するレールを備えている側方アームと、
前記側方アームへの支持として用いられる、前記垂直支柱に固定して保持される１以上の支持アームと、
前記側方アームのキャリッジへのケーブルによって保持される、物体の保持システムとを有し、
側方アームは、前記支柱の前記軸付近を通る任意のパターンでの移動を可能にする方法で、前記垂直支柱に固定して保持されており、
前記垂直支柱は、好適には、空気、不活性ガス、合成油又は天然油、水銀、水、若しくは砂等の要素のうちの、液状、ガス状、若しくは粒状のいずれかである流体によって生成される圧力を好適に受けて、上下に移動するピストンを内側に備えており、
前記ピストンは、前記側方アームのレール内若しくはレール上で、前記物体保持システムと共に移動する前記キャリッジへのケーブルによって保持されており、
前記キャリッジは、好適には、前記側方アームに沿った該キャリッジの移動を可能にして、且つ前記アーム上における位置に関わらず、前記保持システムが前記キャリッジから同一距離で保持されるように強制する滑車システムを備えていることを特徴とする。
【発明を実施するための最良の形態】
【０００４】
装置は、高さが8乃至12フィート、直径8インチである支柱（２）の最上部に固定されている12フット・レール（３８）で構成されている。
【０００５】
レールは、360度の連続的な動きを可能にする回転接合部（１２−２１−２２−２３−２４）上で固定されている。
【０００６】
回転接合部内にある孔によって、カウンタウェイトの上昇若しくは降下の際の、ケーブル（２９）の自由な動きが可能にされている。
【０００７】
レール（３８）は、ローリング・ブロック（２７）にボルト固定された（２８）2つの1インチ四方の留具（２６）によって支持されている。
【０００８】
ローリング・ブロック（２７）は、2つのベアリング（１２）の助けにより、支柱（２）の外部上を上下に移動可能である。
【０００９】
レール（３８）の内側に取付けられた小キャリッジ（１０−１１−１２−１３−１４−１５−１６）によって、積荷をレール沿いに自由に移動させることが可能にされている。
【００１０】
レール（３８）の末端部では、開口部を閉じるように、且つケーブル（２９）の端部を所定の位置に保持するようにキャップが付けられている。
【００１１】
支柱（２）の底部は、各三角形部分で床に固定された（３〜４）三角形基部（１）に溶接されており、エポキシ樹脂で充填されている。
【００１２】
カウンタウェイト（５）の最上部及び底部上に取付けられた2つのプラスチック・リング（６）によって、金属部品の間での摩擦が防止されている。それらは、必要に応じて、空気若しくはその他のガーゼが所定量だけ漏洩するように調整されている。
【００１３】
支柱の底部に取付けられた弁によって、カウンタウェイトを持上げるのに用いられる空気の取入れの制御が可能にされている。
【００１４】
（装置の説明）
カウンタウェイトの底部にボルト固定された（８）一片のゴム（７）によって、降下する際の衝撃が除去される。
【００１５】
レール（３８）の内側にある黒色、高密度の2つのスチール・ベルト（１７）によって、キャリッジ（１０−１１−１２−１３−１４−１５−１６）の動きが滑らかにされている。
【００１６】
5／8インチ・ベアリング（１５）によって、レール（３８）の開口部内でのキャリッジの調整作用が保証される。
【００１７】
取付ブロック（３０）は、ケーブル（２９）を緊張状態に保持することによって、それらが滑車（１１）から外れ落ちるのを防止している。
【００１８】
（装置の機械的機能）
この装置は、3つの別個の機能：
ａ）カウンタウェイトによって、上昇させる物体の重量を相殺する機能
ｂ）作業者が、物体を容易に上昇及び降下させることを可能にする機能
ｃ）物体を2乃至12フィートの半径で、360度、移動させる機能
を有する。
【００１９】
（装置動作手順）
この装置は、吸引ディスク、磁石、フック、若しくはその他の保持システムによって保持され得る任意の固体物体を容易に処理することが可能にされている持上げアームである。
【００２０】
作業者は、半径24フィート以内の物体の処理、及び無線若しくは有線のいずれかの遠隔制御による上昇及び降下の制御が可能である。
【００２１】
遠隔制御が取付けられるスタンドは、保持システムの基部において、作業者に対するハンドルとしても用いられる。
【００２２】
保持システムは、任意の適用可能な形状をとり得る。
【００２３】
一例として、メラミン樹脂でコーティングされたシートを用いると、作業者によって、カウンタウェイトの下に空気が挿入される。その結果、保持システム（この場合には、吸引ディスク）がシート上部の上に降下する。一度、このシートが適切に保持されてしまえば、作業者により空気が解放されて、カウンタウェイトが降下して、従って、シートが持上げられる。次に、作業者は、このシートを必要な場所に移動させて、それを降下させるように空気を再挿入することが可能である。最後に、作業者によってこのシートが解放されて、別の操作に対する準備が整えられた状態となる。
【００２４】
この装置は、50乃至150lbsの値で変化する小さい負荷を処理するように設計されている。
【００２５】
前記垂直支柱は、好適には、空気、不活性ガス、合成油又は天然油、水銀、水、若しくは砂等のそれら要素のうちの、液状、ガス状、若しくは粒状のいずれかである流体によって生成される圧力を好適に受けて、上下に移動するピストンを内側に備えており、
前記ピストンは、前記側方アームの内部若しくは上で移動し、且つ前記アーム上における位置に関わらず、前記保持システムが前記キャリッジから同一距離で保持されるように強制する前記キャリッジへのケーブルによって保持されていることを特徴とする。
【００２６】
（発明の要約）
本発明の請求項に記載される主要な態様は、「カウンタウェイトの動作」に関するものである。
【００２７】
1.  4ポンド／平方インチ（4PSI）の低い空気圧によって、カウンタウェイトの上昇運動が行われることを特徴とする。
【００２８】
2.  カウンタウェイト（ピストン）のシール原理は、空気が小間隙を通って移動する際の空気抵抗を用いることであり、この原理によって、微小量の空気を用いて、前記ピストンの下に空気圧を生成することが可能にされることを特徴とする。
【００２９】
3.  この原理の別の利点は、生じる少量の空気漏洩によって、前記ピストンが前記チューブ内で完全に中央に保持されて、磨耗の効果が除去される点であることを特徴とする。
【００３０】
4.  案内及びシールが確実にされることに加えて、この漏洩システムによって、ピストン上部の加圧の必要性若しくは空気排気弁の使用が除去され、且つこのシステムは、重力によって単純にカウンタウェイトを降下させるように、即ち、物体を上昇させるように、空気の取入れを縮小する若しくは閉じることだけを必要とすることを特徴とする。
【００３１】
5.  この装置は、カウンタウェイトの99%しか持上げることができない（機械的要素の摩擦が1%の損失の理由である）ので、この装置を誤用する若しくは破損するのが不可能であることを特徴とする
6.   圧縮室として支持支柱を用いることによって、360度の連続的な動きが可能にされることを特徴とする。
【００３２】
7.  キャリッジ・システムを支持する滑車の接近によって、作業者がカウンタウェイトの高すぎる上昇を試みてしまった場合のブレーキング効果が生成されることを特徴とする。
【００３３】
8.  重量を可変し得るカウンタウェイトであって、それは、迅速に中身を空にすることが可能なトラップを底部上に備えている容器であり、
ａ）この容器は、上部が開けられており、前記装置の上部上に取付けられているタンクは、静的モーメントを利用して粒状材料若しくは液体が充填可能であり、その底部上のトラップは、必要に応じて、前記カウンタウェイトを充填するのに用いられることを特徴とする。
【００３４】
ｂ）粒状材料若しくは液体をもたらすための方法は、ジャーを備えた1／4 HPの小さいコンベヤー・システムを用いることによって、連続的な運動で達成可能であること特徴とする。
【００３５】
ｃ）前記カウンタウェイトの管理は、液体（水、油、水銀）若しくは粒状材料（砂、鋼球、ポリマー・ボール）を用いることによって、可能であることを特徴とする。
【００３６】
ｄ）水銀が選択される場合には、生じ得る環境汚染を回避するように、閉回路内で全てが行われる必要があり、且つ水銀は、非常に緻密であるという利点を有するが、極めて高価であるということに留意する必要があることを特徴とする。
【図面の簡単な説明】
【００３７】
【図１−Ａ】本発明による持上げシステムの斜視図である。
【図１−Ｂ】図１−Ａに示されるシステムの平面図である。
【図１−Ｃ】図１−Ａの「D」で示される部分の詳細図である。
【図２】図３−Ａの「Ｂ」で示される部分の詳細図である。
【図３−Ａ】図１−ＢのＡ−Ａ線に沿ってとられた、システムの部分断面図である。
【図３−Ｂ】図３−Ａの「C」で示される部分の詳細断面図である。
【図３−Ｃ】図１−Ａに示されるシステムの基部の部分的な側部断面図である。
【図４】本発明による持上げシステムの別の斜視図である。
【図５】図４の「E」で示される部分の詳細図である。
【図６】図４の「E」で示される部分の別の部分図である。
【図７】本発明によるシステムで用いられる滑車サブシステムの斜視図である。
【図８】滑車ハウジングの一部が除去された、図７に示される滑車サブシステムの別の斜視図である。
【図９−Ａ】本発明によるシステムで用いられるアーム・サブシステムの斜視図である。
【図９−Ｂ】本発明によるシステムで用いられる基部の斜視図である。
【図１０】本発明によるシステムで用いられるケーブル・サブシステムの斜視図である。
【図１１】本発明によるシステムで用いられる滑車サブシステムの部分斜視図である。
【図１２】本発明によるシステムで用いられる滑車サブシステムの別の部分斜視図である。


【手続補正２】
【補正対象書類名】特許請求の範囲
【補正対象項目名】全文
【補正方法】変更
【補正の内容】
【特許請求の範囲】
【請求項１】
ある場所から別の場所に物体を持上げて移動させるシステムであって、
ａ．部分的に中空の垂直支柱であって、該支柱をその垂直軸として用いている回転システム、及び地面そのものであり得る支持体の助けにより該支柱をしっかりと保持する手段をその基部に備えている、垂直支柱と、
ｂ．前記垂直支柱に回動自在に保持され、その上をキャリッジが移動するレール手段を備えている側方アームと、
ｃ．前記アームを側方で支持するように、前記垂直支柱に固定して保持される１以上の支持アームと、
ｄ．前記キャリッジに取付けられたケーブルによって、前記物体を保持するための手段とを有し、
前記側方アームは、前記支柱の前記軸を通る任意の面内での動きを可能にする手段を用いて、前記垂直支柱に保持されていることを特徴とするシステム。
【請求項２】
前記垂直支柱は、好適には、空気、不活性ガス、合成油、天然油、水銀、水、砂、ポリマー・ビーズ、及び鋼球から成る群より選択される、液状、ガス状、若しくは粒状の材料である流体によって生成される圧力を、好適に用いて、前記支柱内を垂直に移動可能であるピストンを有することを特徴とする請求項１に記載のシステム。
【請求項３】
前記ピストンは、ケーブルによってしっかりと保持されており、前記キャリッジは、前記レールの内部若しくは上を前記物体保持手段と共に移動可能であることを特徴とする請求項２に記載のシステム。
【請求項４】
前記キャリッジは、前記側方アーム上で該キャリッジが移動することを可能にする手段を有し、且つ前記キャリッジが前記レール上のどこに位置していても、前記物体保持手段が前記キャリッジから一定距離に保持されるように配置されていることを特徴とする請求項１に記載のシステム。
【請求項５】
前記キャリッジが移動することを可能にする前記手段は、滑車システムであることを特徴とする請求項４に記載のシステム。
【請求項６】
前記垂直方向移動手段は、約4ポンド／平方インチの低圧空気を有することを特徴とする請求項２に記載のシステム。
【請求項７】
前記ピストンは、空気が小孔を通して排気される際にその空気により生じる抵抗を用いており、それにより、空気の消費が少量でありながら、前記ピストンの下に圧縮空気が生成されるようにしたシール手段を有することを特徴とする請求項２に記載のシステム。
【請求項８】
前記空気圧は、約4ポンド／平方インチであることを特徴とする請求項２に記載のシステム。
【請求項９】
前記ピストンは、該ピストンが運動する際の空気の排気によって、前記ピストンが前記支柱内部で自身を中心に位置付け、且つ前記可動部品の磨耗が防止されるという点を特徴とする請求項２に記載のシステム。
【請求項１０】
前記空気排出によって、前記ピストンの前記案内が確実にされており、且つ前記空気の前記シールによって、前記ピストンの前記上部を加圧する必要性、若しくは弁を用いて前記空気排出を制御する必要性が除去されることを特徴とする請求項８に記載のシステム。
【請求項１１】
前記支柱は、圧縮室として用いられることを特徴とする請求項２に記載のシステム。
【請求項１２】
前記側方アームは、前記支柱の周囲を360度可動し得る請求項１１に記載のシステム。
【請求項１３】
前記キャリッジは、望ましくない動きを防止するためのブレーキング効果を生じるように、一方が他に取付けられている複数の滑車を有することを特徴とする請求項１に記載のシステム。
【請求項１４】
第1流体貯蔵器を備えたカウンタウェイトを有し、且つ前記第1流体貯蔵器の下面には該貯蔵器の流体を迅速に空にし得る孔が備わっていることを特徴とする請求項２に記載のシステム。
【請求項１５】
更に、前記第1貯蔵器の上に配置された第2貯蔵器を有し、それにより、前記システムが用いられていないときに、所望に応じて、前記第1貯蔵器を充填することが可能になるように、同様にその下面に備えのある前記第2貯蔵器内に、使用された流体が導入され得ることを特徴とする請求項１４に記載のシステム。
【請求項１６】
前記流体を連続的な動きで移動させる前記手段は、ジャーを備えた小さいであることを特徴とする請求項１５に記載のシステム。
【請求項１７】
前記流体は、空気、不活性ガス、合成油、天然油、水銀、水、砂、ポリマー・ビーズ、及び鋼球から成る群より選択されることを特徴とする請求項１６に記載のシステム。
【請求項１８】
前記流体は、閉回路内で用いられる水銀であることを特徴とする請求項１６に記載のシステム。
【手続補正３】
【補正対象書類名】図面
【補正対象項目名】全図
【補正方法】変更
【補正の内容】
【図１−Ａ】
2004537485.tif 000038
【図１−Ｂ】
2004537485.tif 000039
【図１−Ｃ】
2004537485.tif 000040
【図２】
2004537485.tif 000041
【図３−Ａ】
2004537485.tif 000042
【図３−Ｂ】
2004537485.tif 000043
【図３−Ｃ】
2004537485.tif 000044
【図４】
2004537485.tif 000045
【図５】
2004537485.tif 000046
【図６】
2004537485.tif 000047
【図７】
2004537485.tif 000048
【図８】
2004537485.tif 000049
【図９−Ａ】
2004537485.tif 000050
【図９−Ｂ】
2004537485.tif 000051
【図１０】
2004537485.tif 000052
【図１１】
2004537485.tif 000053
【図１２】
2004537485.tif 000054
【国際調査報告】
2004537485.tif 000055
2004537485.tif 000056
2004537485.tif 000057